(57)【要約】【課題】運送の取扱時や屋外等に保管される場合でもカバー全体が浮き上がりにくくできる。【解決手段】梱包装置は、物品を梱包する梱包体3と、梱包体3を上方から覆って梱包するカバー本体11を有する梱包用シートカバー1と、を備え、カバー本体11の一部に、開口部30を有し、カバー本体11は止め部材により梱包体3に止められる。【選択図】図２
2005298068.tif 000002
【特許請求の範囲】
【請求項１】
物品を梱包する梱包体と、
前記梱包体を上方から覆って梱包するカバー本体を有する梱包用シートカバーと、
を備え、
前記カバー本体の上部に、開口部を有し、
前記カバー本体は止め部材により前記梱包体に止められることを特徴とする梱包装置。
【請求項２】
前記開口部は、前記カバー本体の上部の角部に設けられていることを特徴とする請求項1または請求項2に記載の梱包装置。
【請求項３】
前記止め部材は、前記カバー本体とは別に設けられ、
前記止め部材を前記カバー本体に巻き付けて、前記カバー本体を前記梱包体に締め付けて止めることを特徴とする請求項1乃至請求項3のいずれか1項に記載の梱包装置。
【請求項４】
前記止め部材は、前記カバー本体の下部開口側の角部に設けられ、
前記止め部材を前記梱包体に係止して止めることを特徴とする請求項1乃至請求項3のいずれか1項に記載の梱包装置。
【請求項５】
前記梱包体の上部に滑り止め突起を設け、
前記滑り止め突起は、前記カバー本体の前記開口部から突出可能であることを特徴とする請求項1乃至請求項5のいずれか1項に記載の梱包装置。
【請求項６】
前記カバー本体は、上部側全周に比べ下部開口側全周を短い寸法としたことを特徴とする請求項1乃至請求項6のいずれか1項に記載の梱包装置。
【発明の詳細な説明】
【技術分野】
【０００１】
この発明は、スノーモービル、自動二輪車等の運搬、保管時に使用する梱包装置に関する。
【背景技術】
【０００２】
例えば、家具類等の不規則形状の物品の運送に際し、各々の物品毎にラックに入れて袋状カバーで覆って２箇所をファスナーで止めて取扱いを容易にしたものがある（例えば特許文献１）。また、例えば、自動車等の物品の運送に際し、各々の物品毎にコンテナに入れて運搬用防水カバーで覆って前後４箇所をファスナーで止めて取扱いを容易にしたものがある（例えば特許文献２）。
【特許文献１】実公平８−２５７号公報（第１〜第４頁、図１）
【特許文献２】特開平１０−２４９５９号公報（第１〜第３頁、図１）
【発明の開示】
【発明が解決しようとする課題】
【０００３】
このように、従来からラックやコンテナ等の梱包体を、袋状カバーや運搬用防水カバー等の梱包用シートカバーで覆っているが、ファスナーで開閉するために、ファスナーの取り付け位置等によっては開閉作業を円滑に行なうことが困難であったり、例えば運送の際の取扱時にファスナーが緩み開いたり、あるいは特に屋外等に保管される場合、風によるバタツキによってファスナーが緩み開く等の問題がある。
【０００４】
この発明は、従来のかかる実情に鑑みてなされたもので、運送の取扱時や屋外等に保管される場合でもカバー全体が浮き上がりにくくできる梱包装置を提供することを目的としている。
【課題を解決するための手段】
【０００５】
前記課題を解決し、かつ目的を達成するために、この発明は、以下のように構成されている。
【０００６】
請求項１に記載の発明は、物品を梱包する梱包体と、前記梱包体を上方から覆って梱包するカバー本体を有する梱包用シートカバーと、を備え、前記カバー本体の上部に、開口部を有し、前記カバー本体は止め部材により前記梱包体に止められることを特徴とする。運送の取扱時や屋外等に保管される場合でも、梱包体を上方から覆って梱包するカバー本体は止め部材により梱包体に止められ、カバー本体のカバー周面の下方の開口と梱包体の隙間から風がカバー本体の内部に入っても、下方からの風が開口部から外部に抜ける。したがって、風による梱包用シートカバーのバタツキが防止でき、またカバー全体が浮き上がりにくくできる。
【０００７】
請求項2に記載の発明は、前記開口部は、前記カバー本体の上部の角部に設けられていることを特徴とする。
【０００８】
梱包体を上方から覆って梱包するカバー本体のカバー周面の下方の開口と梱包体の隙間から風がカバー本体の内部に入っても、下方からの風がそのまま角部の開口部に向かいやすくよりスムーズに外部に抜ける。
【０００９】
請求項3に記載の発明は、前記止め部材は、前記カバー本体とは別に設けられ、
前記止め部材を前記カバー本体に巻き付けて、前記カバー本体を前記梱包体に締め付けて止めることを特徴とする。止め部材をカバー本体に巻き付けて、カバー本体を梱包体に締め付けて止めるから、風による梱包用シートカバーのバタツキが防止でき、またカバー全体が浮き上がりにくくできる。
【００１０】
請求項4に記載の発明は、前記止め部材は、前記カバー本体の下部開口側の角部に設けられ、前記止め部材を前記梱包体に係止して止めることを特徴とする。カバー本体に設けた止め部材を梱包体に係止して止めるから、風による梱包用シートカバーのバタツキが防止でき、またカバー全体が浮き上がりにくくできる。
【００１１】
請求項5に記載の発明は、前記梱包体の上部に滑り止め突起を設け、前記滑り止め突起は、前記カバー本体の前記開口部から突出可能であることを特徴とする。上段に積み荷する場合に滑り止め突起が容易に目視でき、上段の荷を確実に滑り止め突起内に置くことを可能にする。
【００１２】
請求項6に記載の発明は、前記カバー本体は、上部側全周に比べ下部開口側全周を短い寸法としたことを特徴とする。カバー周面の上部側全周に比べ下部開口側全周を短い寸法とし、梱包体との隙間を少なくしたから下方からの風が入りにくくなり、運送の取扱時や屋外等に保管される場合でもカバー全体が浮き上がりにくくできる。
【発明を実施するための最良の形態】
【００１３】
以下、この発明の梱包装置の実施の形態を、図面に基づいて詳細に説明するが、この発明の実施の形態は、発明の最も好ましい形態を示すものであり、これに限定されない。
【００１４】
図1は物品を梱包した状態の断面図、図2は梱包体の斜視図、図3は梱包体の滑り止め突起の斜視図、図4は梱包用シートカバーの斜視図、図5は梱包用シートカバーの開口部の拡大図、図6はファスナーを開いた状態の斜視図、図7は梱包用シートカバーの断面図である。
【００１５】
不規則形状の物品、例えばスノーモービルを運送したり、保管する際には、スノーモービルをコンテナ等の梱包体に入れ、この梱包体を梱包用シートカバー１で覆って運送、あるいは保管する。
【００１６】
この実施の形態では不規則形状の物品として、図1に示すように、スノーモービル２を示しており、このスノーモービル２を梱包体３に収納する。梱包体３は、載置台３ａと、梱包本体３ｂを有し、この載置台３ａと梱包本体３ｂは、例えば鉄材で構成される。
【００１７】
この載置台３ａには段積みするための脚部３ｃが設けられ、梱包本体３ｂの４角部には滑り止め突起３ｄが設けられている。滑り止め突起３ｄは、図2及び図3に示すように、角部に一対のテーパ片３ｄ１を合わせた形状に構成される。スノーモービル２を載置台３ａ上に置き、スノーモービル２の前側部を固定具４で止め、後側部を係止具５で止める。この固定具４は、例えばリンクボルトで構成され、係止具５は例えばフックで構成される。
【００１８】
この実施の形態の梱包用シートカバー１は、梱包体３を上方から覆って梱包するカバー本体１１を有し、ビニ−ル製の防水性であり、特に屋外等で保管する場合に最適である。
【００１９】
カバー本体１１は、梱包体３の天面を覆うカバー上面１２と、このカバー上面１２の対応辺から延びて梱包体３の周囲の４側面を覆うカバー周面１３とからなる。カバー本体１１は、図4に示すように、カバー周面１３の上部側全周１３ａに比べ下部開口側全周１３ｂを短い寸法とし、かつカバー周面１３の１箇所にカバー本体１１を開閉するファスナー１４が設けられている。このファスナー１４を、カバー周面１２の１箇所の合わせ目に沿って設けたことで、１箇所の開閉作業で済み取扱が容易である。
【００２０】
この実施の形態のカバー本体１１は、カバー周面１３の上部側全周１３ａに比べ下部開口側全周１３ｂを短い寸法とし、かつカバー周面１３の１箇所にカバー本体１１を開閉するファスナー１４を設けたから、運送の取扱時や屋外等に保管される場合でもカバー全体が浮き上がりにくくできる。
【００２１】
このファスナー１４は、開閉するファスナー開閉終端部１４ａと、開閉するファスナー開閉始端部１４ｂとを有する。ファスナー１４は、カバー周面１２の上部側より下部開口側への移動が閉じる方向で、カバー周面１３の下部開口側より上部側への移動が開く方向であり、梱包体３を上方から覆って梱包するファスナー１４による取扱いが容易である。
【００２２】
このファスナー１４は、ファスナー開閉終端部１４ａをカバー上面１２より所定間隔Ｌ１離して設け、開閉するファスナー開閉始端部１４ｂをカバー周面１３の開口側端部より所定位置突出させている。
【００２３】
ファスナー開閉終端部１４ａは、カバー上面１２より所定位置、即ち図4に示すように、カバー上面１２より所定間隔Ｌ１離れた下方位置に設けている。このように、ファスナー１４は、カバー上面１２より所定位置下方から下部開口側に設けたことで、カバー本体１１を梱包体３に装着するときに、ファスナー１４が邪魔にならずカバー上部の位置決めが容易である。
【００２４】
また、ファスナー１４は、ファスナー開始端部１４ｂをカバー周面１３の開口側端部１３ｂより所定位置突出させ、運送する際の取扱時や特に屋外等に保管される場合、風によるバタツキによっても、開口側端部１３ｂより所定位置突出するファスナー開閉始端部１４ｂに開くような力がかからずファスナーが緩み開くことを防止することができる。
【００２５】
また、カバー本体１１は、カバー上面１２の４箇所の角部に、開口部３０を設けている。この開口部３０は、図5に示すように、カバー上面１２の４箇所の角部に切り込みを入れ、三角部１２ｃを裏側に折り返して縫製する。
【００２６】
この開口部３０から梱包体３の滑り止め突起３ｄが突出可能である。梱包体３を梱包用シートカバー１によって上方から覆い、この梱包用シートカバー１で覆った梱包体３を積み重ねる際に、下段の開口部３０から突出する滑り止め突起３ｄに、上段の梱包体３の載置台３ｂの角部が係合して位置決めされ、段積み時に滑ることがないようにしている。上段に積み荷する場合に梱包体３の滑り止め突起３ｄが容易に目視でき、上段の荷を確実に滑り止め突起３ｄ内に置くことを可能にする。
【００２７】
このような段積みで、フォークリフトを用いて上段の梱包体３の出し入れ行なわれ、この出し入れの時に、特に入れる時に下段の梱包体３の奥側の滑り止め突起３ｄに、上段の梱包体３の載置台３ｂが接触しても、一対のテーパ片３ｄ１によって引っ掛かることがなくガイドされて、円滑に出し入れができる。また、段積みで、コンテナからの出し入れ時、最上段の梱包体３の滑り止め突起３ｄがコンテナの開口部の上部に引っ掛かることがなくガイドされて、円滑に出し入れができる。
【００２８】
また、この実施の形態の梱包用シートカバー１は、図7に示すように、カバー本体１１のカバー上面１２及びカバー周面１３のベース４０に着色層４１を設けている。ベース４０は、白色のＰＥクロスで構成され、着色層４１は表面フィルムに着色または印刷して構成される。好ましい例としてはベース（母体）４０は透明ではなく、着色を層との相対比較において、色合い差及び／又はコントラストの差が大きい色に着色されていることが望ましく、着色層の剥れを発見し易い。
【００２９】
このように、カバー上面１２及びカバー周面１３のカバー表面に、着色層４１を設けたことで、取扱いでの局部的に強い力がかかった場合に、その部分４２の表面の着色層４１が剥がれ、あるいはベース４０の色が見えることで色が替わる等で損傷場所が判かり易い。
【００３０】
また、梱包体３を覆う梱包用シートカバー１は、例えばプラスチック製のバンド止め６０で止めて風等でバタツカないようにしてもよい。
【００３１】
次に、梱包用シートカバーの他の実施の形態を図8乃至図10に示す。図8は梱包用シートカバーの斜視図、図9は物品を梱包した状態の斜視図、図10は梱包用シートカバーの固定部の斜視図である。
【００３２】
この実施の形態の梱包用シートカバー１は、図1乃至図7の実施の形態と同様に構成される部材は、同じ符号を付して説明を省略する。この実施の形態では、カバー周面１３の下部開口側１３ｂの４箇所の角部に、梱包体３の下角部３ｅに係止する固定用ベルト５０を設け、この固定用ベルト５０により下部開口側１３ｂの開きを防止することができる。
【００３３】
このように、梱包体３の下角部３ｅに係止する固定用ベルト５０を設けることで、カバー周面１３の上部側全周１３ａより下部開口側全周１３ｂを絞ることが不要になる。
【産業上の利用可能性】
【００３４】
この発明は、スノーモービル、自動二輪車等の運搬、保管時に使用する梱包装置に適用でき、運送の取扱時や屋外等に保管される場合でも、風による梱包用シートカバーのバタツキが防止でき、またカバー全体が浮き上がりにくくできる。
【図面の簡単な説明】
【００３５】
【図１】物品を梱包した状態の断面図である。
【図２】梱包体の斜視図である。
【図３】梱包体の滑り止め突起の斜視図である。
【図４】梱包用シートカバーの斜視図である。
【図５】梱包用シートカバーの開口部の拡大図である。
【図６】ファスナーを開いた状態の斜視図である。
【図７】梱包用シートカバーの断面図である。
【図８】梱包用シートカバーの斜視図である。
【図９】物品を梱包した状態の斜視図である。
【図１０】梱包用シートカバーの固定部の斜視図である。
【符号の説明】
【００３６】
１ 梱包用シートカバー
２ スノーモービル
３ 梱包体
１１ カバー本体
１２ カバー周面
１３ カバー周面
【図１】
2005298068.tif 000003
【図２】
2005298068.tif 000004
【図３】
2005298068.tif 000005
【図４】
2005298068.tif 000006
【図５】
2005298068.tif 000007
【図６】
2005298068.tif 000008
【図７】
2005298068.tif 000009
【図８】
2005298068.tif 000010
【図９】
2005298068.tif 000011
【図１０】
2005298068.tif 000012